(57)【特許請求の範囲】
【請求項１】
待機画面を表示する表示手段としてのタッチパネルを備えるタイムレコーダであって、
複数のアイコン表示を予め組合せた異なる複数の待機画面データを、予め記憶する記憶手段と、
上記記憶手段に記憶されている複数の待機画面データを選択する選択手段と、
上記選択手段で選択された特定の待機画面データを、上記タッチパネルに表示する待機画面として記録する記録手段と、
を備え、
前記複数の待機画面データのそれぞれは、前記複数のアイコン表示として少なくとも出勤アイコンと退勤アイコンとを含んでいることを特徴とするタイムレコーダ。
【請求項２】
データの授受を行うタイムレコーダシステムであって、
待機画面を表示する表示手段としてのタッチパネルと、複数のアイコン表示を予め組合せた異なる複数の待機画面データを予め記憶する記憶手段と、データを入力する入力手段とを有するタイムレコーダと、
上記複数の待機画面データを選択する選択手段と、上記選択手段で選択された選択データを上記タイムレコーダへ出力する出力手段とを有するコンピュータと、を備え、
前記複数の待機画面データのそれぞれは、前記複数のアイコン表示として少なくとも出勤アイコンと退勤アイコンとを含み、
上記コンピュータの上記出力手段で出力される上記選択データが、上記タイムレコーダの上記入力手段に入力されることによって上記選択データに対応する特定の待機画面データを、上記タッチパネルに表示する待機画面に設定することを特徴とするタイムレコーダシステム。
【請求項３】
上記データの授受を、着脱可能な記憶媒体で行うことを特徴とする請求項２に記載のタイムレコーダシステム。
【請求項４】
上記データの授受を、通信網を経由して行うことを特徴とする請求項２に記載のタイムレコーダシステム。
【請求項５】
複数のアイコン表示を予め組合せた異なる複数の待機画面データを、予め記憶手段に記憶し、
前記複数の待機画面データのそれぞれは、前記複数のアイコン表示として少なくとも出勤アイコンと退勤アイコンとを含み、
上記記憶手段に記憶されている上記複数の異なる待機画面データを選択手段で特定の待機画面データとして選択することにより、
上記特定の待機画面データを、表示手段としてのタッチパネルに表示する待機画面として設定することを特徴とする待機画面の選択設定方法。
【発明の詳細な説明】
【技術分野】
【０００１】
本発明は、待機画面（待受け画面と同義）を表示するタイムレコーダ、タイムレコーダシステムおよび待機画面の選択設定方法に関する。
【背景技術】
【０００２】
従来のタイムレコーダは、その購入時に予め設定されている待機画面の一種類のみで、購入後に待機画面中のアイコン表示などを変更できなかったものがある（例えば、特許文献１参照）。但し、特許文献１のタイムレコーダは、予め設定されているアイコン表示のみが表示画面に表示されていることを示す。
【０００３】
上記の場合、ユーザにとって、不必要なアイコンが常に表示され、逆に必要不可欠なアイコン表示が相対的に小さいままで表示画面全体が見難くなっていた。
【０００４】
また、従来のタイムレコーダの中には、待機画面中のアイコン表示を変更可能になっているものがあるが、所望するアイコンを取出すには深い階層データを読出すことが必要であった。更に、これを解決するために、カスタマイズソフトを作成することもあった。
【特許文献１】特開２００４−１１０６６３公報
【発明の開示】
【発明が解決しようとする課題】
【０００５】
ところで、上述したタイムレコーダの内、アイコン表示を変更しうるタイプでは、複雑な階層データを読出す操作が煩雑で、短時間内に行うのは困難である。また、上述したカスタマイズソフトを新規に作成する場合には、その作成に手間と費用が必要となる。
【０００６】
そこで、本発明は、予め選定された複数の待機画面を選択し得るタイムレコーダ、タイムレコーダシステムおよび待機画面の選択設定方法を、提供することを目的とする。
【課題を解決するための手段】
【０００７】
本発明に係るタイムレコーダは、待機画面を表示する表示手段としてのタッチパネルを備えるタイムレコーダであって、複数のアイコン表示を予め組合せた異なる複数の待機画面データを、予め記憶する記憶手段と、上記記憶手段に記憶されている複数の待機画面データを選択する選択手段と、上記選択手段で選択された特定の待機画面データを、上記タッチパネルに表示する待機画面として記録する記録手段と、を備え、前記複数の待機画面データのそれぞれは、前記複数のアイコン表示として少なくとも出勤アイコンと退勤アイコンとを含んでいる。
【０００８】
また、本発明に係るタイムレコーダシステムは、データの授受を行うタイムレコーダシステムであって、待機画面を表示する表示手段としてのタッチパネルと、複数のアイコン表示を予め組合せた異なる複数の待機画面データを予め記憶する記憶手段と、データを入力する入力手段とを有するタイムレコーダと、上記複数の待機画面データを選択する選択手段と、上記選択手段で選択された選択データを上記タイムレコーダへ出力する出力手段とを有するコンピュータと、を備え、前記複数の待機画面データのそれぞれは、前記複数のアイコン表示として少なくとも出勤アイコンと退勤アイコンとを含み、上記コンピュータの上記出力手段で出力される上記選択データが、上記タイムレコーダの上記入力手段に入力されることによって上記選択データに対応する特定の待機画面データを、上記タッチパネルに表示する待機画面に設定する。
【０００９】
さらに、本発明に係る待機画面の選択設定方法は、複数のアイコン表示を予め組合せた異なる複数の待機画面データを、予め記憶手段に記憶し、前記複数の待機画面データのそれぞれは、前記複数のアイコン表示として少なくとも出勤アイコンと退勤アイコンとを含み、上記記憶手段に記憶されている上記複数の異なる待機画面データを選択手段で特定の待機画面データとして選択することにより、上記特定の待機画面データを、表示手段としてのタッチパネルに表示する待機画面として設定する。
【００１０】
ここで、複数のアイコン表示を予め組合せた異なる複数の待機画面データは、複数のユーザが現在までに所望したアイコン表示の組合せ待機画面の内、需要が多かった上位複数の待機画面が選定されている。即ち、上記複数の待機画面データは、複数のアイコン表示をそれぞれ組合せた使用頻度の高い待機画面データ群である。
【発明の効果】
【００１１】
本発明に係るタイムレコーダ、タイムレコーダシステムおよび待機画面の選択設定方法では、複数のアイコン表示を予め組合せた異なる複数の待機画面データの内、ユーザの使用形態に最も適合する特定の待機画面データを選択し得るので、選択手続きが簡単で、ユーザにとって使い勝手の良い待機画面を設定できる。なお、本発明によれば、カスタマイズソフトを新規に作成する場合に比べて、安価となる。
【発明を実施するための最良の形態】
【００１２】
以下、図１および図２に基づいて、本発明の一実施形態であるタイムレコーダ、タイムレコーダシステムおよび待機画面の選択設定方法について説明する。
【００１３】
ここで、図１は本実施形態におけるタイムレコーダの斜視図、図２は図１に示すタイムレコーダを含むタイムレコーダシステムのブロック図である。本実施形態に係るタイムレコーダシステムはタイムレコーダおよびコンピュータなどで構成される。
【００１４】
（タイムレコーダの概略構成）
図１に示すように、タイムレコーダ１０の表面には、ＬＣＤタッチパネルなどで構成される表示部１２と、ガイド音声などを出力するスピーカ１４と、一点鎖線で示す非接触ＩＣカード５０から打刻者のＩＤデータを受信するアンテナ１６が配置されている。また、タイムレコーダ１０の側面には、二点鎖線で示す磁気カード５２を通すためのカードユニット１８が配置されている。
【００１５】
さらに、タイムレコーダ１０の底面には、二点鎖線で示すＵＳＢメモリ５４を接続するためのコネクタ２０と、コンピュータＰＣを接続するためのＬＡＮコネクタ２２と、図示しないモデムを接続するための端子２４が配置されている。なお、コネクタ２０またはＬＡＮコネクタ２２は、入力手段の一部を構成する。
【００１６】
（タイムレコーダの制御系に関する構成）
図２に示すように、タイムレコーダ１０は、ＣＰＵ３０と、ＲＯＭ３２と、ＲＡＭ３４と、ＩＤリーダ部３６と、インターフェースＩ／Ｆと、出入力部３８と、表示部１２と、スピーカ１４と、を備える。
【００１７】
ＣＰＵ３０は、タイムレコーダ１０の全体的な動作を司り、たとえば後述する操作キー１３が操作された場合に、その操作に基づく処理を行う。なお、ＣＰＵ３０は、選択手段の一部を構成する。
【００１８】
ＲＯＭ３２は、記憶手段であり、タイムレコーダ１０に各種の処理を制御するプログラムを記憶する。そして、ＲＯＭ３２の記憶領域には、複数のアイコン表示を予め組合せた異なる７種類の待機画面データが、予め記憶されている。
【００１９】
ここで、複数のアイコン表示を予め組合せた異なる複数の待機画面データは、複数のユーザが現在までに所望したアイコン表示の組合せ待機画面の内、需要が多かった上位７種類の待機画面を選定した。即ち、上記７種類の待機画面データは、複数のアイコン表示をそれぞれ組合せた使用頻度の高い待機画面データ群である。
【００２０】
具体的には、図３に示すように、７種類の待機画面６０乃至６６で、各ユーザの勤務形態に対応するような複数のアイコン表示となっている。
【００２１】
そして、ＲＯＭ３２には、待機画面６０がパターン１、待機画面６１がパターン２、待機画面６２がパターン３、待機画面６３がパターン４、待機画面６４がパターン５、待機画面６５がパターン６、待機画面６６がパターン７に対応するよう関連付けて記憶している。
【００２２】
記録手段であるＲＡＭ３４は、各種データの読み書き用の記録域を有し、この記録域に従業者各人の打刻データなどが記録される。ＩＤリーダ部３６は、図１に示すアンテナ１６から受信するＩＤデータまたは図１に示すカードユニット１８から磁気カード５２のＩＤデータを読み出す。インターフェースＩ／ＦはコンピュータＰＣを接続し、出入力部３８はＵＳＢメモリ５４が接続される。
【００２３】
表示手段である表示部１２は、図１に示すように、現在時刻または操作キーなどを表示する。即ち、表示部１２は、上述したようにタッチパネルで構成されており、タッチパネル上の操作キー１３（図２参照）を操作することによって各種の次画面へと切替わる。
【００２４】
なお、操作キー１３は、選択手段の一部を構成する。また、インターフェースＩ／Ｆまたは出入力部３８は、入力手段の一部を構成する。
【００２５】
（コンピュータの制御系に関する構成）
図２に示すように、コンピュータＰＣは、選択手段の一部を構成するＣＰＵ４０と、選択手段の一部を構成する操作キー４２と、出力手段の一部を構成する送受信部４４とを備える。ＣＰＵ４０は、コンピュータＰＣの全体的な動作を司り、たとえば操作キー４２が操作された場合に、その操作に基づく処理を行う。
【００２６】
なお、コンピュータＰＣは、図示しないＲＯＭおよびＲＡＭおよび表示部なども備える。また、タイムレコーダシステムＴＣは、タイムレコーダ１０およびコンピュータＰＣなどで構成される。
【００２７】
（本実施形態の作用）
本実施形態において、待機画面を選択し設定する方法としては、３種類がある。具体的には、第１にコンピュータＰＣで選択し送受信手段を介してタイムレコーダ１０で設定する方法と、第２にコンピュータＰＣで選択し着脱可能な記憶媒体を介してタイムレコーダ１０で設定する方法と、第３にタイムレコーダ１０のみで選択し設定する方法である。
【００２８】
上記第１の選択設定方法は、コンピュータＰＣで待機画面６０乃至６６（図３参照）に対応する識別子データ（選択データと同義）を選択し、コンピュータＰＣからへＬＡＮ（図２に示す送受信部４４およびインターフェースＩ／Ｆなどで構成される）経由でタイムレコーダ１０が一の識別子データ（例えばパターン１に関する選択データ）を受信する。
【００２９】
この場合、コンピュータＰＣの表示画面に図３に示す待機画面６０乃至６６を表示し選択させても良く、または待機画面６０乃至６６を表示画面に表示させることなく取扱説明書を参照し待機画面６０乃至６６に対応する識別子データを選択するようにしても良い。
【００３０】
次に、上記第２の選択設定方法は、コンピュータＰＣで選択された識別子を、着脱可能な記憶媒体たとえばＵＳＢメモリ５４をタイムレコーダ１０の出入力部３８（図２参照）に接続することにより、入力させる。
【００３１】
最後は、タイムレコーダ１０で図３に示す待機画面６０乃至６６の識別子データを、タイムレコーダ１０の操作キー１３（図２参照）によって入力する。
【００３２】
そして、図４に示すフローチャートは、上述したコンピュータＰＣからの受信、ＵＳＢメモリ５４からの入力、操作キー１３から入力される識別子データに基づき、待機画面を選択する方法を説明するものである。
【００３３】
図４に示すフローチャートに基づき、タイムレコーダ１０またはタイムレコーダシステムＴＣにおける待機画面の選択設定モードに関する処理について説明する。ここで、図２に示すタイムレコーダ１０における処理は、タイムレコーダ１０のＣＰＵ３０によって実行され、図４のフローチャートで表される。これらのプログラムは、予めＲＯＭ３２（図２参照）のプログラム領域に記憶されている。
【００３４】
図４に示すように、ステップ１００において、タイムレコーダ１０のＣＰＵ３０（図２参照）は、選択された待機画面データの識別子データを受信または入力したか否かを判断する。ステップ１００が肯定の場合すなわち上記待機画面データの識別子を受信または入力した場合には、ステップ１０２において、図３に示す待機画面６０乃至６６の内、パターン１か否かを判断する。
【００３５】
ステップ１０２が肯定の場合すなわちパターン１である場合には、ステップ１０４において、パターン１に係る待機画面データを、図１に示すタイムレコーダ１０の表示部１２に表示する待機画面としてＲＡＭ３４に記録する。即ち、図３に示す待機画面６０は、待機状態において、タイムレコーダ１０の表示部１２に表示されることになる。
【００３６】
ステップ１０２が否定の場合すなわちパターン１でない場合には、ステップ１０６において、パターン２か否かを判断する。ステップ１０６が肯定の場合すなわちパターン２である場合には、ステップ１０８において、パターン２に係る待機画面データを、タイムレコーダ１０の表示部１２に表示する待機画面として図２に示すＲＡＭ３４に記録する。
【００３７】
ステップ１０６が否定の場合すなわちパターン２でない場合には、ステップ１１０において、パターン３か否かを判断する。ステップ１１０が肯定の場合すなわちパターン３である場合には、ステップ１１２において、パターン３に係る待機画面データを、タイムレコーダ１０の表示部１２に表示する待機画面として図２に示すＲＡＭ３４に記録する。
【００３８】
ステップ１１０が否定の場合すなわちパターン３でない場合には、ステップ１１４において、パターン４か否かを判断する。ステップ１１４が肯定の場合すなわちパターン４である場合には、ステップ１１６において、パターン４に係る待機画面データを、タイムレコーダ１０の表示部１２に表示する待機画面として図２に示すＲＡＭ３４に記録する。
【００３９】
ステップ１１４が否定の場合すなわちパターン４でない場合には、ステップ１１８において、パターン５か否かを判断する。ステップ１１８が肯定の場合すなわちパターン５である場合には、ステップ１２０において、パターン５に係る待機画面データを、タイムレコーダ１０の表示部１２に表示する待機画面として図２に示すＲＡＭ３４に記録する。
【００４０】
ステップ１１８が否定の場合すなわちパターン５でない場合には、ステップ１２２において、パターン６か否かを判断する。ステップ１２２が肯定の場合すなわちパターン６である場合には、ステップ１２４において、パターン６に係る待機画面データを、タイムレコーダ１０の表示部１２に表示する待機画面として図２に示すＲＡＭ３４に記録する。
【００４１】
ステップ１２２が否定の場合すなわちパターン６でない場合には、ステップ１２６において、パターン７に係る待機画面データを、タイムレコーダ１０の表示部１２に表示する待機画面として図２に示すＲＡＭ３４に記録する。上記各処理によって、パターン１からパターン７までの待機画面の内、選択された一の待機画面が設定される。
【００４２】
なお、ステップ１００が否定の場合すなわち上記識別子データを受信または入力しない場合は、受信または入力されるのを待つ。一方、一の待機画面が設定登録された場合は、本フローチャートの処理は終了する。
【００４３】
本実施形態によれば、複数のアイコン表示を予め組合せた異なる七つの待機画面データの内、ユーザの使用形態に最も適合する特定の待機画面データを選択し得るので、選択手続きが簡単で、ユーザにとって使い勝手の良い待機画面を設定できる。
【００４４】
また、本実施形態によれば、一度待機画面を設定した後であっても、何度でも別の待機画面に設定し直すことができるので、ユーザが勤務形態を変更などする場合にも対応し得る。
【００４５】
さらに、本実施形態によれば、カスタマイズソフトを新規に作成する場合に比べて、安価となる。なお、選択し得る待機画面データは、複数種類であれば、七つ以下でも以上でも良い。
【図面の簡単な説明】
【００４６】
【図１】本発明に係る一実施形態のタイムレコーダの斜視図である。
【図２】タイムレコーダシステムのブロック図である。
【図３】図２に示すＲＯＭに記憶される複数の待機画面の種類を示す図である。
【図４】図１に示すタイムレコーダにおける待機画面の選択設定モードのフローチャート図である。
【符号の説明】
【００４７】
１０      タイムレコーダ
３０      ＣＰＵ（選択手段）
３２      ＲＯＭ（記憶手段）
３４      ＲＡＭ（記録手段）
ＴＣ      タイムレコーダシステム
【図１】
0005282390.tif 000002
【図２】
0005282390.tif 000003
【図３】
0005282390.tif 000004
【図４】
0005282390.tif 000005